(57)【特許請求の範囲】
【請求項１】
理美容椅子全体を通電状態と非通電状態に切り換えるための主電源スイッチ（Ｓａ）と、イス本体（７）の作動中に過負荷がかかってブレーカーが作動した場合に通電復帰させるためのイスブレーカー復帰スイッチ（Ｓ９）と、上記イス本体（７）の背もたれ部（１）に設けた電源コンセント（Ｃ）に接続した理美容電気機器に過負荷がかかってコンセントブレーカーが作動した場合に通電復帰させるためのコンセントブレーカー復帰スイッチ（Ｓ10）とを、上記背もたれ部（１）の背面（11）に集中して配設したことを特徴とする理美容椅子。
【発明の詳細な説明】
【技術分野】
【０００１】
本発明は、理美容椅子に関する。
【背景技術】
【０００２】
従来、イス本体の昇降や背もたれ部の揺動を操作するための手操作用スイッチを、肘掛部及び座部の側面に配設した理美容椅子が公知である。
【先行技術文献】
【特許文献】
【０００３】
【特許文献１】実開平２−１４５１４１号公報
【発明の概要】
【発明が解決しようとする課題】
【０００４】
しかし、肘掛部及び座部の側面に手操作用スイッチを配設すると、着席者に刈布を巻いた際に、手操作用スイッチが隠れてしまい、椅子の操作に手間取り、カットや毛染め等の施術作業をスムーズに進めることができないといった問題があった。また、着席中の子供が勝手に触って、椅子が作動し、危険であった。
【０００５】
そこで、本発明は、イス本体の操作を迅速かつスムーズに行うことができると共に、着席者が手操作用スイッチを操作するのを防止して、安全に施術作業を行うことが可能な理美容椅子の提供を目的とする。
【課題を解決するための手段】
【０００６】
上記目的を達成するために、本発明の理美容椅子は、理美容椅子全体を通電状態と非通電状態に切り換えるための主電源スイッチと、イス本体の作動中に過負荷がかかってブレーカーが作動した場合に通電復帰させるためのイスブレーカー復帰スイッチと、上記イス本体の背もたれ部に設けた電源コンセントに接続した理美容電気機器に過負荷がかかってコンセントブレーカーが作動した場合に通電復帰させるためのコンセントブレーカー復帰スイッチとを、上記背もたれ部の背面に集中して配設したものである。
【発明の効果】
【０００７】
本発明によれば、着席者に刈布を巻いた際に、手操作用スイッチが隠れることが無く、迅速かつスムーズに、椅子を作動させることができる。着席中の子供が勝手に触る（操作する）虞れが無く、安全に施術作業を行うことができる。手操作用スイッチを探すようなムダな時間を削減でき、特に、施術者は、椅子の肘掛部や座部の右側や左側等へ各操作毎に身体を大きく移動する必要が無いので、一層、迅速に効率良く施術作業を行うことができる。
【図面の簡単な説明】
【０００８】
【図１】本発明の理美容椅子の実施の一形態を示し、前方から見た全体斜視図である。
【図２】後方から見た背もたれ部の要部斜視図である。
【図３】背もたれ部の背面図である。
【発明を実施するための形態】
【０００９】
以下、図示の実施形態に基づき本発明を詳説する。
本発明に係る理美容椅子は、図１に示すように、背もたれ部１と座部２と肘掛部３とフットレスト５とを有するイス本体７と、イス本体７を鉛直状軸心廻りに回転自在に保持する基台８と、を備えている。
そして、図２及び図３に示すように、散髪や毛染め等の施術を行う施術者が手指で操作可能な全ての手操作用スイッチＳを、背もたれ部１に集中して配設している。
【００１０】
手操作用スイッチＳとは、全体（本発明に係る理美容椅子）を通電状態と非通電状態に切り換えるための主電源スイッチＳａと、イス本体７を作動させるための複数のイス用スイッチＳｂと、イス本体７に設けた電源コンセントＣに接続した理美容電気機器を作動させるための複数の理美容電気機器用スイッチＳｃと、である。
【００１１】
イス用スイッチＳｂとして、イス本体７を昇降させるためのイス本体昇降スイッチＳ１と、背もたれ部１を所望の姿勢に揺動させるための背もたれ揺動スイッチ（背もたれマニュアルスイッチ）Ｓ２と、背もたれ部１に対して座部２の一部を昇降させるためのチャイルドシートスイッチＳ３と、を設けている。
【００１２】
また、イス用スイッチＳｂとして、イス本体７の鉛直状軸心廻りの回転を制御するためのイス回転制御スイッチＳ４を設けている。
イス回転制御スイッチＳ４は、イス本体７の鉛直軸心廻りの手動回転を阻止するロック（ブレーキ）とロック解除を行うもの、或いは、イス本体７を鉛直状軸心廻りの電動回転と停止を制御するもの、いずれでも良い。
【００１３】
また、イス用スイッチＳｂとして、イス本体７の上昇高さを複数段階をもって設定可能なツマミ式のイス本体高さ設定スイッチＳ５を設けている。
そして、イス本体高さ設定スイッチＳ５で設定した高さにイス本体７を上昇させ、予め設定した後傾角度に背もたれ部１を寝かした高寝姿勢状態と、背もたれ部１を予め設定した所定角度まで起こすと共にイス本体７を所定高さまで降下させ座部２（の全体）を降下させた全体基準姿勢と、に切り換えるイス本体オートスイッチＳ６を設けている。
なお、イス本体高さ設定スイッチＳ５を設けていない場合に、イス本体オートスイッチＳ６は、イス本体７の上昇を行わないように設けても良い。
また、イス本体オートスイッチＳ６は、フットレスト５が背もたれ部１に連動して揺動するように設けても良い。
【００１４】
また、イス用スイッチＳｂとして、背もたれ部１を予め設定した所定角度まで寝かせる寝姿勢状態と、背もたれ部１を予め設定した所定角度まで起こした背もたれ起立姿勢と、に切り換えるための背もたれオートスイッチＳ７を設けている。
【００１５】
また、左右のチャイルドシートスイッチＳ３，Ｓ３にかえて、イス用スイッチＳｂとして、左右一方に背もたれ部１に対して座部２全体を昇降させるための座部昇降スイッチを設け、左右他方に、フットレスト（エプロン）５を揺動させるためのフットレスト揺動スイッチを設けても良い。
【００１６】
また、座部２を前座部と後座部とに分割構造とした場合に、左右一方のチャイルドシートスイッチＳ３は、背もたれ部１に対して後座部のみを昇降させるものである。そして、左右他方のチャイルドシートスイッチＳ３にかえて、背もたれ部１に対して前座部及び後座部を（両方を）昇降させる座部昇降スイッチを設けても良い。
【００１７】
また、イス用スイッチＳｂとして、左右の肘掛部３の左右側外面に設けた左右一対の刈布掛け棒31を水平状軸心廻りに揺動させて水平状の不使用姿勢（図１参照）から起立状の布掛け姿勢に（図１の二点鎖線のように）切換えるための刈布掛け用スイッチＳ８を設けている。
【００１８】
また、イス用スイッチＳｂとして、イス本体７を作動中に過負荷がかかって電気を遮断した際に復帰させる（過電流でブレーカーが落ちた際にブレーカーを復帰させる）ためのイスブレーカー復帰スイッチＳ９と、を設けている。
【００１９】
ここで、背もたれ部１は、着席者の背中を支持する表て面（前面）側のクッション部18と、クッション部18を支持する背面（後面）側の背壁部19と、を有している。
そして、全ての手操作用スイッチＳを背壁部19に設けている。
さらに、複数のイス用スイッチＳｂの内、イス本体７の昇降と、背もたれ部１の揺動と、背もたれ部１に対して座部２の一部又は全部の昇降と、フットレスト５の揺動と、イス本体７の昇降と、イス本体７の回転と、を行うためのスイッチを、背もたれ部１の左右側面12，12に夫々設けている。
【００２０】
イス本体７を昇降させるための（上述のイス本体昇降スイッチＳ１やイス本体オートスイッチＳ６に相当する）スイッチと、背もたれ部１を揺動させるための（上述の背もたれ揺動スイッチＳ２や背もたれオートスイッチＳ７やイス本体オートスイッチＳ６に相当する）スイッチと、背もたれ部１に対して座部２の一部又は全部を昇降させるための（上述のチャイルドシートスイッチＳ３や座部昇降スイッチに相当する）スイッチと、イス本体７の鉛直状軸心廻りの回転を制御するための（上述のイス回転制御スイッチＳ４に相当する）スイッチと、フットレスト５を揺動させるための（上述のイス本体オートスイッチＳ６やフットレスト揺動スイッチに相当する）スイッチと、を、背壁部19の両側面12，12（両肩部の各側面12，12）に設けた凹部12ａ，12ａに配設し、その凹部12ａは左右斜め外方（図２の背もたれ部１の起立基準姿勢において左右斜め上方）へ開口している。
【００２１】
また、イス本体昇降スイッチＳ１と、背もたれ揺動スイッチＳ２と、チャイルドシートスイッチＳ３と、イス回転制御スイッチＳ４と、を左右一対に設けている。
【００２２】
また、刈布掛け用スイッチＳ８を、背もたれ部１（の背壁部19）の上面13、より具体的には、ヘッドレスト６の首部材60の近傍の上面13に配設している。
イス本体高さ設定スイッチＳ５とイスブレーカー復帰スイッチＳ９を背もたれ部１（の背壁部19）の背面11に設けている。
【００２３】
次に、理美容電気機器用スイッチＳｃとして、理美容電気機器に過負荷がかかってコンセントＣへの電気を遮断した際に通電復帰させる（過電流でコンセントブレーカーが作動した際にコンセントブレーカーを復帰させる）ためのコンセントブレーカー復帰スイッチＳ10を設けている。
理美容電気機器とは、ヘアドライヤ、ヘアアイロン（カールアイロンやストレートアイロン）、マッサージ機等である。
【００２４】
また、理美容電気機器用スイッチＳｃとして、理美容電気機器への通電をＯＮ−ＯＦＦ操作可能な理美容電気機器用電源スイッチＳ11を設けている。
理美容電気機器用電源スイッチＳ11はＯＮ−ＯＦＦに加え、供給する電流電圧を変更可能なツマミ型スイッチである。より具体的には、後述の丸棒状プラグ用コンセントＣｂに接続したヘアアイロンの温度調整が可能なボリュームスイッチである。
【００２５】
また、背もたれ部１に、複数種類のコンセントＣを設けている。
複数種類のコンセントＣとは、一対の平板状プラグを差込むための平板状プラグ用コンセント（１００Ｖ用コンセント）Ｃａと、２本の丸棒状プラグを差込むための丸棒状プラグ用コンセント（例えば、２００Ｖ以上用コンセント）Ｃｂと、である。
【００２６】
平板状プラグ用コンセントＣａは、背もたれ部１の背面11に２箇所設けると共に、背もたれ部１の左右側面12，12に対して出没自在に（背もたれ部１の側面12から内部へ収納可能）に左右１箇所ずつ設けている。
丸棒状プラグ用コンセントＣｂは、背もたれ部１の背面11に１箇所設けている。
【００２７】
また、図示省略するが、基台８に、イス本体７を昇降させるためのペダル式の足操作用スイッチ（フットスイッチ）を設けている。
イス本体７の昇降は、イス用スイッチＳｂと足操作用スイッチの何れか一方で行えるように構成している。
また、背もたれ部１の背面11に、理美容電気機器を係止可能な複数のフック部材や収納可能なホルダ部材を設けている。
【００２８】
次に、本発明の理美容椅子の作用について説明する。
散髪や洗髪、毛染め等を行う施術者は、背もたれ部１に着目するだけで（イス本体７の周囲を見渡す必要がなく）、容易かつ迅速に手操作用スイッチＳを発見できる。特に、着席者に刈布を巻いた際に、肘掛部３に手操作用スイッチＳを設けた場合に比べて隠れることが無く、施術作業をスムーズにムダなく行える。
また、着席者の手が不意に手操作用スイッチＳに当たることや、子供がイタズラ等で勝手に操作することが無くなり、安全に施術作業を行うことができる。
【００２９】
また、複数のイス用スイッチＳｂの内、イス本体７の昇降と、背もたれ部１の揺動と、背もたれ部１に対する座部２の全部又は一部の昇降と、フットレスト５の揺動と、イス本体７の昇降と、イス本体７の回転と、を行うためのスイッチを、背もたれ部１の側面12（左右側面12，12の両方又は一方）に設けているため、背もたれ部１を寝かせた状態でも、施術者が背もたれ部１の背面11側を覗き込む必要がなく、容易かつスムーズにイス本体７を操作して、着席者の姿勢や向きを変更することができる。
【００３０】
また、イス用スイッチＳｂの内、イス本体昇降スイッチＳ１と、背もたれ揺動スイッチＳ２と、チャイルドシートスイッチＳ３と、イス回転制御スイッチＳ４と、を左右一対に設けているため、施術者が、背もたれ部１の左右どちら側から接近しても、（右往左往せず）迅速に操作できる。鋏や櫛等の施術器具を持ちかえる必要がなく、右手と左手どちらからでも操作でき、効率良く施術作業を行うことができる。
【００３１】
また、ドライヤ等の理美容電気機器の準備を迅速に行うことができると共に、店内の床面に理美容電気機器用の電源コードや延長コードが不要となり、床面の歩行や清掃が容易となる。また、理美容電気機器の電気コードのとりまわしも容易に行える。
【００３２】
なお、本発明は、設計変更可能であって、手操作用スイッチＳの構造は、図示の形状に限らず、ロッカースイッチ、トルグスイッチ、３位置又は２位置のレバースイッチ、ツマミ（回転式）スイッチ、押ボタン式スイッチ、タッチパネル等自由である。また、手操作用スイッチＳは、背もたれ部１であれば、図例に限らず、背面11や両側面12，12や上面13等配置や数は自由である。背もたれ部１や座部２等各部の作動力は電気（電動）や油圧、空気圧等自由である。
【００３３】
以上のように、本発明の理美容椅子は、全ての手操作用スイッチＳを、背もたれ部１に集中して配設したので、着席者に刈布を巻いた際に、手操作用スイッチＳが隠れることが無く、迅速かつスムーズに、椅子を作動させることができる。着席中の子供が勝手に触る（操作する）虞れが無く、安全に施術作業を行うことができる。手操作用スイッチを探すようなムダな時間を削減でき、迅速に効率良く施術を行うことができる。
【符号の説明】
【００３４】
１  背もたれ部
７ イス本体
11 背面
Ｃ 電源コンセント
Ｓ  手操作用スイッチ
Ｓ９ イスブレーカー復帰スイッチ
Ｓ10 コンセントブレーカー復帰スイッチ
Ｓａ 主電源スイッチ
【図１】
0006366391.tif 000002
【図２】
0006366391.tif 000003
【図３】
0006366391.tif 000004